(57)【要約】【課題】  システムキッチン等の天袋の下面に設けられる照明装置を使用者の作業位置に移動させることにより、使用者の手元に適切な照度を確保することができ、安全で効率的に作業を行うことができる天袋照明を提供すること。【解決手段】  調理用カウンター１２を備えたフロアキャビネット１３の上方に隙間を介して配設される天袋１４の下面に設けられたレール４と、レール４に沿って天袋１４の左右長手方向に移動可能な照明装置８と、照明装置８をレール４に沿って移動させる移動手段２と、フロアキャビネット１３又は天袋１４に設けられ照明装置８の位置を切り換える切換スイッチ５と、切換スイッチ５により決定された位置に照明装置８を移動させるべく移動手段２を制御する制御部９とを備えてなることを特徴とする。【選択図】図１
2006122472.tif 000002
【特許請求の範囲】
【請求項１】
調理用カウンター等を備えたフロアキャビネットの上方に隙間を介して配設される天袋の下面に設けられたレールと、
前記レールに沿って前記天袋の左右長手方向に移動可能な照明装置と、
前記照明装置をレールに沿って移動させる移動手段と、
前記フロアキャビネット又は前記天袋に設けられ照明装置の位置を切り換える切換スイッチと、
前記切換スイッチにより指示された位置に照明装置を移動させるべく前記移動手段を制御する制御部とを備えてなることを特徴とする天袋照明。
【請求項２】
前記切換スイッチが前記フロアキャビネット又は前記天袋の左右長手方向に複数設けられてなり、使用者により操作された切換スイッチの位置に前記照明装置を移動させるものであることを特徴とする請求項１記載の天袋照明。
【請求項３】
前記切換スイッチの代わりに人感センサーが前記フロアキャビネット又は前記天袋の左右長手方向に複数設けられてなり、前記人感センサーが使用者を感知した位置に前記照明装置を移動させるものであることを特徴とする請求項２記載の天袋照明。
【請求項４】
前記レールには、外部電源に接続されて前記照明装置に電力を供給するための給電板が該レールの長手方向に沿って備えられるとともに、前記照明装置には前記給電板に摺接して電力の供給を受ける給電部が備えられてなることを特徴とする請求項１〜３のいずれかに記載の天袋照明。
【発明の詳細な説明】
【技術分野】
【０００１】
本発明は、システムキッチン等の天袋に設けられる天袋照明に関するものである。
【背景技術】
【０００２】
従来より、調理用カウンター等を備えたフロアキャビネットの上方に隙間をあけて天袋が配設されたシステムキッチン等において、天袋の下面側に照明装置を設けたものが知られている（特許文献１）。
【特許文献１】特開２００２−２７２５４２号公報
【発明の開示】
【発明が解決しようとする課題】
【０００３】
しかしながら、上記の照明装置は天袋の下面側に固定されているため、例えばシステムキッチンの端部等において作業を行う際、使用者の手元に適切な照度を確保することができないことがあった。そのため、作業効率が低下するという課題を有していた。
【０００４】
本発明は、かかる事由に鑑みてなしたもので、その目的とするところは、システムキッチン等の天袋の下面に設けられる照明装置を使用者の作業位置に移動させることにより、使用者の手元に適切な照度を確保することができ、安全で効率的に作業を行うことができる天袋照明を提供することにある。
【課題を解決するための手段】
【０００５】
上記課題を解決するために、本発明における天袋照明は、第１に、調理用カウンター等を備えたフロアキャビネットの上方に隙間を介して配設される天袋の下面に設けられたレールと、前記レールに沿って前記天袋の左右長手方向に移動可能な照明装置と、前記照明装置をレールに沿って移動させる移動手段と、前記フロアキャビネット又は前記天袋に設けられ照明装置の位置を切り換える切換スイッチと、前記切換スイッチにより決定された位置に照明装置を移動させるべく前記移動手段を制御する制御部とを備えてなることを特徴とする。
【０００６】
第２に、前記切換スイッチが前記フロアキャビネット又は前記天袋の左右長手方向に複数設けられてなり、使用者により操作された切換スイッチの位置に前記照明装置を移動させるものであることを特徴とする。
【０００７】
第３に、前記切換スイッチの代わりに人感センサーが前記フロアキャビネット又は前記天袋の左右長手方向に複数設けられてなり、前記人感センサーが使用者を感知した位置に前記照明装置を移動させるものであることを特徴とする。
【０００８】
第４に、前記レールには、外部電源に接続されて前記照明装置に電力を供給するための給電板が該レールの長手方向に沿って備えられるとともに、前記照明装置には前記給電板に摺接して電力の供給を受ける給電部が備えられてなることを特徴とする。
【発明の効果】
【０００９】
上記本発明の第１の天袋照明においては、切換スイッチにより使用者の作業位置に照明装置を移動させることができるので、使用者の手元に適切な照度を確保することができ、安全で効率的に作業を行うことができる。
【００１０】
また、照明装置を多数設置する必要がなくなるとともに、小型化が可能となり、省エネルギーにつながる。
【００１１】
上記本発明の第２の天袋照明においては、前記切換スイッチが前記フロアキャビネット又は前記天袋の左右長手方向に複数設けられてなるので、使用者が作業をしている位置において身近にある切換スイッチを操作することにより当該切換スイッチの位置に照明装置を移動させることができるので、切換スイッチを操作するためにわざわざ移動する必要がなくなり、切換スイッチの操作が容易となる。
【００１２】
上記本発明の第３の天袋照明においては、前記切換スイッチの代わりに人感センサーが前記フロアキャビネット又は前記天袋の左右長手方向に複数設けられてなるので、使用者が作業位置を変更する度に照明装置を移動させるための操作を必要とせず、より効率的に収納作業を行うことができる。
【００１３】
上記本発明の第４の天袋照明においては、外部電源に接続されて照明装置に電力を供給するための給電板がレールの長手方向に沿って備えられるとともに、照明装置には前記給電板に摺接して電力の供給を受ける給電部が備えられてなるので、レールと照明装置との間に配線を必要とせず、照明装置をスムーズに移動させることができる。
【発明を実施するための最良の形態】
【００１４】
（実施形態１）
本発明の実施形態１における天袋照明１について、図１〜３に基づいて説明する。ここでは、本実施形態における天袋照明１が備えられたシステムキッチン２０を用いて説明する。
【００１５】
本実施形態における天袋照明１は、レンジ１０、シンク１１、調理用カウンター１２を備えたフロアキャビネット１３の上方に、隙間を介してレンジフード１５とともに配設される天袋１４の下面に設けられたレール４と、レール４に沿って天袋１４の左右長手方向に移動可能な照明装置８と、照明装置８をレール４に沿って移動させる移動手段２と、天袋１４に設けられ照明装置８の位置を切り換える切換スイッチ５と、切換スイッチ５により決定された位置に照明装置８を移動させるべく移動手段２を制御する制御部９とを備えてなる。
【００１６】
照明装置８は、内部に２本の蛍光灯８ａを備えており、その頂部には照明装置８の前後に突出した突出部７が形成された天板６を有している。そして、突出部７の下面側には、照明装置８をレール４に沿って移動させる移動手段２として、モーター（図示せず）及びこれにより駆動されレール４を走行する走行用ローラー２ａが備えられており、天袋１４の下面に設けられたレール４に係合している。
【００１７】
また、レール４には、外部電源（図示せず）に接続されて照明装置８に電力を供給するための給電板４ａがレール４の長手方向に沿って備えられるとともに、照明装置８には給電板４ａに摺接して電力の供給を受ける給電部３が備えられている。
【００１８】
天袋１４の前面下部の左右長手方向の略中央部には、照明装置８の位置を左右に切り換えるための切換スイッチ５が設けられている。
【００１９】
切換スイッチ５は、右移動用と左移動用の２つの押ボタンからなり、使用者により左右どちらかの押ボタンが操作されると、制御部９を介して移動手段２が動作し、照明装置８が該押ボタンに対応して左右長手方向に移動するようになっている。
【００２０】
以上のように、本実施形態における天袋照明１は、切換スイッチ５により使用者の作業位置に照明装置８を移動させることができるので、使用者の手元に適切な照度を確保することができ、安全で効率的に作業を行うことができる。
【００２１】
また、照明装置８を多数設置する必要がなくなるとともに、小型化が可能となり、省エネルギーにつながる。
【００２２】
また、外部電源に接続されて照明装置８に電力を供給するための給電板４ａがレール４の長手方向に沿って備えられるとともに、照明装置８には給電板４ａに摺接して電力の供給を受ける給電部３が備えられてなるので、レール４と照明装置８との間に配線を必要とせず、照明装置８をスムーズに移動させることができる。
【００２３】
なお、切換スイッチ５は、調理用カウンター１２の前縁やフロアキャビネット１３の台輪部１６等に設けてもよい。
【００２４】
（実施形態２）
次に、本発明の実施形態２における天袋照明１について、図４に基づいて説明する。本実施形態においては、実施形態１と異なる部分についてのみ説明する。
【００２５】
本実施形態においては、切換スイッチ５として天袋１４の左右長手方向に７つの押ボタンを設けている。
【００２６】
そして、使用者が作業位置の身近にある押ボタンを操作すると、該押ボタンの位置を位置情報として制御部９へと送信し、制御部９からの信号によって移動手段２が動作して照明装置８が該押ボタンの位置、即ち使用者の位置へと移動するようになっている。
【００２７】
以上のように、本実施形態における天袋照明１は、使用者が切換スイッチ５を操作するためにわざわざ移動する必要がなくなり、切換スイッチ５の操作が容易となる。
【００２８】
また、切換スイッチ５として天袋１４の左右長手方向に７つの押ボタンを設けているので、照明装置８の停止位置を予め７箇所に設定しておくことができる。そのため、簡単な操作で使用者の作業位置まで照明装置８を移動させることができる。
【００２９】
なお、切換スイッチ５の設置位置については、調理用カウンター１２の前縁やフロアキャビネット１３の台輪部１６等であってもよい。特に、台輪部１６に切換スイッチ５を設けた場合、足で切換スイッチ５を操作することができるので、作業の手を止めずに照明装置８を移動させることができる。
【００３０】
また、切換スイッチ５の数については、天袋１４の左右の長さ等に合わせて適宜選択すればよい。
【００３１】
（実施形態３）
次に、本発明の実施形態３における天袋照明１について、図４に基づいて説明する。本実施形態においては、実施形態２と異なる部分についてのみ説明する。
【００３２】
本実施形態においては、切換スイッチ５の代わりに人感センサーを用いており、天袋１４の左右長手方向に７つの人感センサーを設けている。
【００３３】
人感センサーとしては、例えば、赤外線センサーや超音波センサー等を用いることができる。
【００３４】
そして、人感センサーにより感知した使用者の位置情報を制御部９へと送信し、制御部９からの信号によって移動手段２が動作して照明装置８が使用者の位置へと移動するようになっている。
【００３５】
以上のように、本実施形態における天袋照明１は、切換スイッチ５の代わりに人感センサーを用いており、人感センサーにより感知した位置に照明装置８を移動させることができるので、使用者が作業位置を変更する度に照明装置８を移動させる操作を必要とせず、より効率的に作業を行うことができる。
【００３６】
なお、人感センサーの設置位置については、調理用カウンター１２の前縁やフロアキャビネット１３の台輪部１６等であってもよい。
【００３７】
また、人感センサーの設置数については、天袋１４の左右の長さ等に合わせて適宜選択すればよい。
【図面の簡単な説明】
【００３８】
【図１】本発明の実施形態１における天袋照明１を備えたシステムキッチン２０の正面図である。
【図２】図１におけるＡ−Ａ´断面図である。
【図３】本発明の実施形態における天袋照明１のブロック図である。
【図４】本発明の実施形態２、３における天袋照明１を備えたシステムキッチン２０の正面図である。
【符号の説明】
【００３９】
１  天袋照明
２  移動手段
２ａ  走行用ローラー
３  給電部
４  レール
５  切換スイッチ
６  天板
７  突出部
８  照明装置
９  制御部
１４  天袋
２０  システムキッチン
【図１】
2006122472.tif 000003
【図２】
2006122472.tif 000004
【図３】
2006122472.tif 000005
【図４】
2006122472.tif 000006